(57)【要約】【課題】用紙搬送に悪影響を与えないようにしつつ用紙を加湿する。【解決手段】搬送中の用紙の位置を検知する検知部と、加湿量が変更可能に構成され、前記用紙を加湿する加湿部と、前記検知部で検知される前記用紙の位置に応じて、前記用紙の搬送方向の先端側の第１領域を第１の加湿量で加湿すると共に、前記用紙の第１領域以外の第２領域を第１の加湿量よりも多い第２の加湿量で加湿するよう前記加湿部を制御する制御部と、を有する。【選択図】図１
2016210541.tif 000002
【特許請求の範囲】
【請求項１】
搬送中の用紙の位置を検知する検知部と、
加湿量が変更可能に構成され、前記用紙を加湿する加湿部と、
前記検知部で検知される前記用紙の位置に応じて、前記用紙の搬送方向の先端側の第１領域を第１の加湿量で加湿すると共に、前記用紙の第１領域以外の第２領域を第１の加湿量よりも多い第２の加湿量で加湿するよう前記加湿部を制御する制御部と、
を有することを特徴とする用紙加湿装置。
【請求項２】
前記加湿部は、前記用紙を挟持搬送する際に前記用紙を加湿する一対の加湿ローラを備え、
前記制御部は、前記加湿ローラの前記用紙に対する接触状態を変更することで、前記第１の加湿量と前記第２の加湿量とを切り替える、
ことを特徴とする請求項１に記載の用紙加湿装置。
【請求項３】
前記加湿部は、前記加湿ローラによる前記用紙の挟持圧又は挟持間隔を調整する挟持調整部を更に備え、
前記制御部は、前記挟持調整部による前記加湿ローラの挟持圧又は挟持間隔を調整することで、前記接触状態を変更し、前記第１の加湿量と前記第２の加湿量とを切り替える、
ことを特徴とする請求項２に記載の用紙加湿装置。
【請求項４】
前記制御部は、前記挟持調整部による前記加湿ローラの挟持圧又は挟持間隔を調整し、前記用紙と前記加湿ローラとの接触面積を変更することで、前記第１の加湿量と前記第２の加湿量とを切り替える、
ことを特徴とする請求項３に記載の用紙加湿装置。
【請求項５】
前記制御部は、前記加湿ローラの径を参照して、前記第１の加湿量から前記第２の加湿量に切り替えるタイミングを制御する、
ことを特徴とする請求項２乃至請求項４のいずれか一項に記載の用紙加湿装置。
【請求項６】
前記制御部は、前記加湿ローラの径を参照して、前記第１の加湿量を決定する、
ことを特徴とする請求項２乃至請求項５のいずれか一項に記載の用紙加湿装置。
【請求項７】
前記制御部は、前記第２の加湿量を参照して、前記第１の加湿量から前記第２の加湿量に切り替えるタイミングを制御する、
ことを特徴とする請求項１乃至請求項６のいずれか一項に記載の用紙加湿装置。
【請求項８】
前記制御部は、前記用紙の種類を参照して、前記第１の加湿量から前記第２の加湿量に切り替えるタイミングを制御する、
ことを特徴とする請求項１乃至請求項７のいずれか一項に記載の用紙加湿装置。
【請求項９】
前記制御部は、前記用紙に画像が形成されている場合の画像形成条件を参照して、前記第１の加湿量から前記第２の加湿量に切り替えるタイミングを制御する、
ことを特徴とする請求項１乃至請求項８のいずれか一項に記載の用紙加湿装置。
【請求項１０】
搬送中の用紙の位置を検知する検知部と、加湿量が変更可能に構成されて前記用紙を加湿する加湿部と、前記用紙を加湿するよう前記加湿部を制御する制御部と、を有する用紙加湿装置における加湿制御方法であって、
前記検知部で検知される前記用紙の位置に応じて、前記用紙の搬送方向の先端側の第１領域を第１の加湿量で加湿すると共に、前記用紙の第１領域以外の第２領域を第１の加湿量よりも多い第２の加湿量で加湿するよう、前記制御部が前記加湿部を制御することを特徴とする加湿制御方法。
【請求項１１】
前記加湿部は、前記用紙を挟持搬送する際に前記用紙を加湿する一対の加湿ローラを備えて構成されており、
前記加湿ローラの前記用紙に対する接触状態を変更するように前記制御部が制御することで、前記第１の加湿量と前記第２の加湿量とを切り替える、
ことを特徴とする請求項１０に記載の加湿制御方法。
【発明の詳細な説明】
【技術分野】
【０００１】
本発明は、画像形成された用紙を加湿する用紙加湿装置とその制御方法とに関する。
【背景技術】
【０００２】
電子写真方式の画像形成装置、すなわち、複写機、プリンタ、ファクシミリ装置、又は、これらの機能を有する複合機では、熱を使用した定着工程において、用紙から水分が奪われる。
この結果、乾燥した用紙がカールしたり波打ち状に変形したりすることが問題となる。また、この定着工程により、用紙がカールするだけでなく、静電気を帯びたり、熱を持ったりすることもある。そして、ジャムが発生しやすくなったり、後処理工程に悪影響を与えたりすることも問題になる。
【０００３】
このような問題を解決する手段として、定着処理後の用紙を加湿することが提案されている。すなわち、用紙のカール除去、除電、冷却のために、水分を含有させた加湿ローラにて用紙を搬送することで、用紙を加湿している。また、このような加湿ローラの代わりに、用紙に水蒸気を噴霧する手法も存在している。
【０００４】
なお、この種の画像形成装置については、以下の特許文献に各種の工夫や提案がなされている。
【先行技術文献】
【特許文献】
【０００５】
【特許文献１】特開２００７−２９２９１４号公報
【特許文献２】特開２０１２−２３７９２４号公報
【発明の概要】
【発明が解決しようとする課題】
【０００６】
以上の特許文献１では、用紙ごとの条件に応じて、加湿ローラに対する水切りローラの圧接状態を切り替えて、加湿量を制御している。この場合、用紙毎の上限に応じて適正加湿をすることで、用紙のカール防止、波打ち防止、平面性確保を実現するようにしている。
【０００７】
また、以上の特許文献２では、用紙ごとの画像形成に合わせて、加湿有り／加湿無しを切り替えるようにしている。これにより、画像不良を防止するようにしている。
以上のように、加熱定着装置から排出された用紙を用紙加湿装置により加湿することで、用紙のカールや波打ち等を低減して平面性を確保することができる。
【０００８】
しかし、このような加湿を行った場合、加湿された用紙表面の水分の影響で、用紙が加湿ローラに巻き付くという新たな問題が発見された。また、水蒸気噴霧による用紙の加湿の場合であっても、加湿直後の搬送ローラに対して同様に巻き付きが発生しやすい状況になる。
【０００９】
このような用紙の巻き付きは搬送不良であり、装置の動作を停止させる必要が生じる。用紙加湿装置が画像形成システムの一部であれば、画像形成システム全体の動作を停止させる必要が生じ、生産性の低下が問題になる。
本発明はこのような課題に鑑みてなされたものであって、用紙搬送に悪影響を与えないようにしつつ用紙の加湿が可能な用紙加湿装置と加湿制御方法とを実現することを目的とする。
【課題を解決するための手段】
【００１０】
上述した課題を解決する本発明の一態様は以下の通りである。
（１）本発明の一側面が反映された用紙加湿装置は、搬送中の用紙の位置を検知する検知部と、加湿量が変更可能に構成され、前記用紙を加湿する加湿部と、前記検知部で検知される前記用紙の位置に応じて、前記用紙の搬送方向の先端側の第１領域を第１の加湿量で加湿すると共に、前記用紙の第１領域以外の第２領域を第１の加湿量よりも多い第２の加湿量で加湿するよう前記加湿部を制御する制御部と、を有する。
【００１１】
また、本発明の一側面が反映された加湿制御方法は、搬送中の用紙の位置を検知する検知部と、加湿量が変更可能に構成されて前記用紙を加湿する加湿部と、前記用紙を加湿するよう前記加湿部を制御する制御部と、を有する用紙加湿装置における加湿制御方法であって、前記検知部で検知される前記用紙の位置に応じて、前記用紙の搬送方向の先端側の第１領域を第１の加湿量で加湿すると共に、前記用紙の第１領域以外の第２領域を第１の加湿量よりも多い第２の加湿量で加湿するよう、前記制御部が前記加湿部を制御する。
【００１２】
（２）以上の（１）において、前記加湿部は、前記用紙を挟持搬送する際に前記用紙を加湿する一対の加湿ローラを備え、前記制御部は、前記加湿ローラの前記用紙に対する接触状態を変更することで、前記第１の加湿量と前記第２の加湿量とを切り替える。
また、以上の（１）において、前記加湿部は、前記用紙を挟持搬送する際に前記用紙を加湿する一対の加湿ローラと、前記加湿ローラに水分を供給する給水部とを備え、前記制御部は、前記給水部から前記加湿ローラへの水分供給状態を変更することで、前記第１の加湿量と前記第２の加湿量とを切り替える。
【００１３】
（３）以上の（２）において、前記加湿部は、前記加湿ローラによる前記用紙の挟持圧又は挟持間隔を調整する挟持調整部を更に備え、前記制御部は、挟持調整部による前記加湿ローラの挟持圧又は挟持間隔を調整することで、前記接触状態を変更し、前記第１の加湿量と前記第２の加湿量とを切り替える。
【００１４】
（４）以上の（３）において、前記制御部は、挟持調整部による前記加湿ローラの挟持圧又は挟持間隔を調整し、前記用紙と前記加湿ローラとの接触面積を変更することで、前記第１の加湿量と前記第２の加湿量とを切り替える。
（５）以上の（２）−（４）において、前記制御部は、前記加湿ローラの径を参照して、前記第１の加湿量から前記第２の加湿量に切り替えるタイミングを制御する。
【００１５】
（６）以上の（２）−（５）において、前記制御部は、前記加湿ローラの径を参照して、前記第１の加湿量を決定する。
（７）以上の（１）−（６）において、前記制御部は、前記第２の加湿量を参照して、前記第１の加湿量から前記第２の加湿量に切り替えるタイミングを制御する。
【００１６】
（８）以上の（１）−（７）において、前記制御部は、前記用紙の種類を参照して、前記第１の加湿量から前記第２の加湿量に切り替えるタイミングを制御する。
（９）以上の（１）−（８）において、前記制御部は、前記用紙に画像が形成されている場合の画像形成条件を参照して、前記第１の加湿量から前記第２の加湿量に切り替えるタイミングを制御する。
【発明の効果】
【００１７】
本発明の一側面が反映された用紙加湿装置と加湿制御方法では、以下のような効果が得られる。
加熱定着装置から排出された用紙のカールや波打ち等を低減して平面性を確保するために用紙を加湿する際に、検知される搬送中の用紙の位置に応じて、用紙の搬送方向の先端側の第１領域を第１の加湿量で加湿すると共に、用紙の第１領域以外の第２領域を第１の加湿量よりも多い第２の加湿量で加湿することで、加湿された用紙表面の水分の影響で用紙の先端領域がローラに巻き付きやすい現象が軽減されるため、用紙搬送に悪影響を与えないようにしつつ用紙の加湿が可能になる。
【図面の簡単な説明】
【００１８】
【図１】本発明の実施形態の用紙加湿装置の構成を示す構成図である。
【図２】本発明の実施形態の用紙加湿装置の構成を示す構成図である。
【図３】本発明の実施形態の用紙加湿装置の構成を示す構成図である。
【図４】本発明の実施形態の画像形成の動作を示すフローチャートである。
【図５】本発明の実施形態の用紙加湿装置の動作決定を示す説明図である。
【図６】本発明の実施形態の用紙加湿装置の動作状態を示す説明図である。
【図７】本発明の実施形態の用紙加湿装置の動作状態を示す説明図である。
【図８】本発明の実施形態の用紙加湿装置の動作状態を示す説明図である。
【図９】本発明の実施形態の用紙加湿装置の動作状態を示す説明図である。
【図１０】本発明の実施形態の用紙加湿装置の動作状態を示す説明図である。
【図１１】本発明の実施形態の用紙加湿装置の動作状態を示す説明図である。
【図１２】本発明の実施形態の用紙加湿装置の動作状態を示す説明図である。
【発明を実施するための形態】
【００１９】
以下、図面を参照して本発明を実施するための形態（以下、実施形態）を詳細に説明する。ここでは、用紙加湿装置２００を含む画像形成システム１を参照して実施形態を詳細に説明する。
〔画像形成システム及び用紙加湿装置の構成〕
図１〜図３を参照して、本実施の形態に係る用紙加湿装置２００を含む画像形成システム１の構成について説明する。
【００２０】
図１〜図２に示すように、この画像形成システム１は、給紙装置５０と、画像形成装置１００と、用紙加湿装置２００と、後処理装置３００と、を有して構成されている。
給紙装置５０は、制御部５１と、通信部５２と、給紙部５５と、を有して構成されている。ここで、制御部５１は、給紙に関する制御を行う。通信部５２は、他の装置と通信する。給紙部５５は、制御部５１の制御に従って、用紙を画像形成装置１００に向けて給紙する。
【００２１】
画像形成装置１００は、制御部１０１と、通信部１０２と、操作表示部１０３と、記憶部１０４と、給紙部１０５と、搬送部１１０と、原稿読取部１２０と、画像データ記憶部１３０と、画像処理部１４０と、画像形成部１５０と、定着部１６０と、を備えて構成されている。なお、画像形成装置１００で画像形成された用紙は、後段の装置に向けて搬出される。
【００２２】
ここで、制御部１０１は、画像形成装置１００内の各部を制御すると共に、画像形成システム全体を制御する。通信部１０２は、接続されている他の装置と通信する。操作表示部１０３は、操作者による操作入力に応じた操作入力信号を制御部１０１に通知すると共に、画像形成装置１００の状態表示や報知や警告を行う。記憶部１０４は、制御プログラム及び各種設定データを記憶すると共に、制御プログラムのワークエリアとして使用される。給紙部１０５は、収容されている用紙を画像形成部１５０に向けて給紙する。搬送部１１０は、給紙され画像形成される用紙を所定速度で搬送する。原稿読取部１２０は、原稿をスキャンして画像データを生成する。画像データ記憶部１３０は、画像形成する際の画像データや各種データを記憶する。画像処理部１４０は、画像形成に必要な各種画像処理を実行する。画像形成部１５０は、画像形成命令と画像処理後の画像データとに基づいて、作像・転写・定着により印刷（以下、「画像形成」と言う）を実行する。定着部１６０は、用紙上に転写された画像を熱と圧力とにより安定させる。
【００２３】
用紙加湿装置２００は、用紙搬送に関して画像形成装置１００の後の位置に設けられており、制御部２０１と、通信部２０２と、搬送部２１０と、加湿部２２０と、を備えて構成される。なお、用紙加湿装置２００内を搬送された用紙は、後段の後処理装置３００に向けて搬出される。なお、ここで、用紙加湿装置２００は画像形成装置１００の下流側に配置されているが、画像形成装置１００の内部であっても良いし、後述する後処理装置３００の内部に配置されても良い。
【００２４】
ここで、制御部２０１は、用紙加湿装置２００の各部を制御する。通信部２０２は、接続されている他の装置と通信する。搬送部２１０は、画像形成装置１００からの画像形成された用紙を、バイパス経路２１０ａ又は加湿経路２１０ｂのいずれかを経由して所定速度で搬送する。加湿部２２０は、制御部２０１の制御に従って、加湿経路を搬送される用紙の位置に応じて、用紙の搬送方向の先端側の第１領域を第１の加湿量で加湿すると共に、用紙の第１領域以外の第２領域を第１の加湿量よりも多い第２の加湿量で加湿する。
【００２５】
後処理装置３００は、用紙搬送に関して画像形成装置１００や用紙加湿装置２００の後の位置に設けられており、制御部３０１と、通信部３０２と、後処理部３２０と、排出部３９０と、を備えて構成される。ここで、制御部３０１は、後処理装置３００の各部を制御する。通信部３０２は、接続されている他の装置と通信する。後処理部３２０は、用紙に各種の後処理を施す。排出部３９０は、用紙を所定の排出口に排出する。
【００２６】
なお、以上の給紙装置５０、画像形成装置１００、用紙加湿装置２００、後処理装置３００内の各機能、各構成要素や接続配置（図１〜図２参照）は一例であって、これらに限定されるものではない。
ここで、用紙加湿装置２００の主要部である加湿部２２０は、一例として、図３のように構成されている。ここでは、搬送される用紙は垂直方向に加湿経路２１０ｂに沿って、一旦下降し、その後上昇しつつ加湿される場合を具体例にしている。
【００２７】
この加湿経路２１０ｂの両脇から用紙を加湿するように加湿部２２０の加湿手段２２１が配置されている。
なお、この加湿手段２２１は、用紙を挟む際の圧力や間隔を調整可能に構成された、挟持調整手段としての、第１加湿手段２２１ａと第２加湿手段２２１ｂとを有して構成されている。
【００２８】
第１加湿手段２２１ａに加湿用の水分を供給する給水部としての水槽２２２ａが備えられ、水槽２２２ａ内には水Ｗが蓄えられている。また、第２加湿手段２２１ｂに加湿用の水分を供給する給水部としての水槽２２２ｂが備えられ、水槽２２２ｂ内には水Ｗが蓄えられている。なお、この水槽２２２ａと２２２ｂに蓄えられる水Ｗについては、更に別の図示されない水槽やポンプが存在する。
【００２９】
第１加湿手段２２１ａにおいて、第１給水ローラ２２３ａが時計方向に回転しつつ、表面に設けられた溝又は表面の多孔質材料により、水槽２２２ａから水分を吸い出す。また、第１給水ローラ２２３ａと接する規制ローラ２２４ａが反時計方向に回転しつつ、第１給水ローラ２２３ａ表面の水分を掻き落とす。また、第１給水ローラ２２３ａと接すると共に、加湿経路２１０ｂを介して第２加湿ローラ２２５ｂと接触可能な第１加湿ローラ２２５ａが、反時計方向に回転しつつ、用紙を加湿しながら当該用紙を搬送する。なお、一例として規制ローラ２２４ａの中心軸が図示されないモータ等により回転駆動されることで、規制ローラ２２４ａに接する給水ローラ２２３ａが回転駆動され、さらに、給水ローラ２２３ａに接する加湿ローラ２２５ａが回転駆動される。
【００３０】
第２加湿手段２２１ｂにおいて、第２給水ローラ２２３ｂが反時計方向に回転しつつ、表面に設けられた溝又は表面の多孔質材料により、水槽２２２ｂから水分を吸い出す。また、第２給水ローラ２２３ｂと接する規制ローラ２２４ｂが時計方向に回転しつつ、第２給水ローラ２２３ａ表面の水分を掻き落とす。また、第２給水ローラ２２３ｂと接すると共に、加湿経路２１０ｂを介して第１加湿ローラ２２５ａと接触可能な第２加湿ローラ２２５ｂが、時計方向に回転しつつ、用紙を加湿しながら当該用紙を搬送する。なお、一例として規制ローラ２２４ｂの中心軸が図示されないモータ等により回転駆動されることで、規制ローラ２２４ｂに接する給水ローラ２２３ｂが回転駆動され、さらに、給水ローラ２２３ｂに接する加湿ローラ２２５ｂが回転駆動される。
【００３１】
なお、第１加湿手段２２１ａと第２加湿手段２２１ｂとの作用により、第１加湿ローラ２２５ａと第２加湿ローラ２２５ｂとによる用紙に対する接触状態（挟持圧、挟持間隔、接触面積）が制御されて、用紙の搬送方向の先端側の第１領域を第１の加湿量で加湿すると共に、用紙の第１領域以外の第２領域を第１の加湿量よりも多い第２の加湿量で加湿する。
【００３２】
ここで、第１加湿ローラ２２５ａと第２加湿ローラ２２５ｂにおいて、挟持圧を高めたり、挟持間隔を狭めたりすることで、互いの接触面積が増大し、用紙に対する加湿量が増大する。また、逆に、第１加湿ローラ２２５ａと第２加湿ローラ２２５ｂにおいて、挟持圧を低くしたり、挟持間隔を狭めなくしたりすることで、互いの接触面積が減少し、用紙に対する加湿量が低下する。
【００３３】
なお、第１加湿手段２２１ａと第２加湿手段２２１ｂとによる第１加湿ローラ２２５ａと第２加湿ローラ２２５ｂに対する上述した加湿量を調整するための作用は、カム、ボールねじ送り機構、アクチュエータ、リニアモータなど各種の手段を用いた調整機構により実現される。
【００３４】
また、規制ローラ２２４ａ（２２４ｂ）と給水ローラ２２３ａ（２２３ｂ）との接触状態や、加湿ローラ２２５ａ（２２５ｂ）と給水ローラ２２３ａ（２２３ｂ）との接触状態によっても、上述した加湿量の調整が可能である。
〔動作〕
以下、図４のフローチャート、図５以降の状態説明図を用いて動作説明を行う。
【００３５】
なお、本実施形態では、用紙の搬送方向の先端側の第１領域を第１の加湿量で加湿すると共に、用紙の第１領域以外の第２領域を第１の加湿量よりも多い第２の加湿量で加湿する。
ここで、第２の加湿量は、定着部１６０の熱定着により奪われた用紙の水分を補給し、用紙のカール防止、波打ち防止、平面性確保を実現するのに必要な加湿量である。なお、この第２の加湿量については、画像形成装置の構成や動作状態や用紙の特性等から既知の手法により求められる。また、第１の加湿量は、加湿ローラ２２５ａ，２２５ｂに対して用紙の先端部分が巻き付かないようにするための、第２の加湿量より少ない加湿量である。
【００３６】
画像形成装置１００において画像形成が開始され、その画像形成において用紙の加湿処理を伴う場合には、制御部２０１は、通信部１０２〜通信部２０２を介した制御部１０１からの加湿指示を受信する（図４中のステップＳ１００でＹＥＳ）。
なお、画像形成装置１００において画像形成が開始され、その画像形成において用紙の加湿処理を伴わない場合には、制御部２０１は、搬送部２１０の搬送経路を初期位置のバイパス経路２１０ａにしたまま、加湿処理を終了する（図４中のステップＳ１００でＮＯ、エンド）。
【００３７】
一方、加湿指示を受信（図４中のステップＳ１００でＹＥＳ）した制御部２０１は、搬送部２１０の搬送経路を初期位置であるバイパス経路２１０ａから加湿経路２１０ｂに切り替え、画像形成装置１００からの用紙を加湿部２２０に搬送するように制御する（図４中のステップＳ１０１）。
また、制御部２０１は、加湿指示を受けた用紙についての、画像形成装置１００で実行された画像形成の画像形成条件、画像形成に使用された用紙の用紙情報などを、制御部１０１から取得する（図４中のステップＳ１０２）。その他にも用紙の搬送性に影響を与えうる情報があれば制御部２０１は制御部１０１から取得しても良い。
【００３８】
ここで、画像形成条件としては、少なくとも、帯電電圧や定着温度や画像中のドット比率の情報を取得する。ここで、帯電電圧が高ければ用紙が帯電した状態であって、用紙のカールが発生しやすい状況になっている。また、定着温度が高いほど用紙から水分が抜けており、用紙のカールが発生しやすい状況になっている。また、ドット比率が低ければ、用紙に多くの水分が保持されて、加湿後の用紙がローラに巻き付きやすくなる。
【００３９】
また、用紙情報としては、用紙種類（普通紙、厚紙、薄紙、塗工紙など）の情報を少なくとも取得する。ここで、薄紙であれば、普通紙や厚紙よりも、加湿後の用紙がローラに巻き付きやすくなる。また、塗工紙であれば、用紙上に水分が保持されて、加湿後の用紙がローラに巻き付きやすくなる。
【００４０】
そして、制御部２０１は、以上のように取得した画像形成条件や用紙情報を参照して、加湿量変更要否を判定する（図４中のステップＳ１０３）。
制御部２０１は、加湿ローラ２２５ａ，２２５ｂの径、上述した画像形成条件、及び上述した用紙種類を参照して、第２の加湿量で用紙を加湿した場合に、加湿された用紙が加湿ローラ２２５ａ，２２５ｂに対して巻き付き易い状態であれば、加湿量変更が必要であると判定する。
【００４１】
ここで、巻き付き易い状態か否かについては、以下のパラメータを参照して決定することができる。ここで必要な情報（パラメータとその状態）について、制御部２０１は制御部１０１から取得する。
例えば、巻き付き易い状態に該当するパラメータとその値としては、加湿ローラ径：大、用紙種類：薄紙や塗工紙、帯電電圧：高、画像濃度（トナー量）：低濃度、定着温度：高、がある。また、巻き付き易い状態に該当しないパラメータとその値としては、加湿ローラ径：小、用紙種類：普通紙や厚紙、帯電電圧：低、画像濃度（トナー量）：高濃度、定着温度：低、がある。
【００４２】
具体的には、図５に示されるような各パラメータと巻き付き易さのパラメータ値とのテーブルを参照し、巻き付き易い状態であれば＋１点、巻き付き易い状態でなければ−１点のように点数化した上で、各パラメータについての点数を合計して合計点数を算出する。
そして、判断基準として、例えば、巻き付き易い状態の判断の閾値を１点と定め、合計点数が０点以下であれば巻き付き易い状態ではないと判断し、合計点数が１点以上であれば巻き付き易い状態であると判断することができる。
【００４３】
すなわち、この場合の巻き付き易い状態か否かの判断は、各パラメータの値（大／小、高／低など）を点数化（−１点／＋１点）して算出した合計点数を、閾値（例えば１点）と比較して行うことができる。
なお、各パラメータ（加湿ローラ径、用紙種類、帯電電圧、画像濃度、定着温度）とその点数（＋１点、−１点）、判断基準（〜０点、１点〜）などは一例であり、各種の変形が可能である。
【００４４】
例えば、パラメータ毎に複数の状態を０点〜１０点のような複数段階の点数に設定し、上述した閾値を５点又は６点に定め、各パラメータの点数の合計点を閾値と比較して判断することで、更に総合的に巻き付きやすさを判断することも可能になる。
制御部２０１は、以上のようにして判断し、加湿された用紙が加湿ローラ２２５ａ，２２５ｂに対して巻き付き易い状態ではないと判断できれば、加湿量変更が不要であると決定する（図４中のステップＳ１０４でＮＯ）。この場合、用紙のカール防止、波打ち防止、平面性確保を実現するのに必要な既知の第２の加湿量による加湿処理を実行する（図４中のステップＳ１０５）。
【００４５】
一方、制御部２０１は、以上のようにして判断し、加湿された用紙が加湿ローラ２２５ａ，２２５ｂに対して巻き付き易い状態であると判断できれば、加湿量変更が必要であると決定する（図４中のステップＳ１０４でＹＥＳ）。
加湿量変更が必要であると決定した制御部２０１は、加湿量変更内容を算出する（図４中のステップＳ１０６）。なお、加湿量変更が必要であると決定した制御部２０１は、上述した図５の各パラメータの状態を点数化した場合の合計点数を参照し、加湿量変更内容を算出しても良い。ここで必要な情報について、制御部２０１は制御部１０１から取得する。なお、この加湿量変更内容の算出（図４中のステップＳ１０６）は、上述した加湿量変更要否判定（図４中のステップＳ１０３）と同時又は並行して行うことも可能である。
【００４６】
ここで、加湿量変更内容としては、例えば以下のようになる。
（１）搬送中の用紙の搬送方向先端側の第１領域を第１の加湿量で加湿すると共に、用紙の第１領域以外の第２領域を第１の加湿量よりも多い第２の加湿量で加湿する。
（２）以上の（１）において、加湿ローラ２２５ａ，２２５ｂにより用紙を挟持搬送する際に、加湿ローラ２２５ａ，２２５ｂによる用紙に対する接触状態を変更することで、第１の加湿量と第２の加湿量とを切り替える。
【００４７】
また、以上の（１）において、加湿ローラ２２５ａ，２２５ｂにより用紙を挟持搬送する際に、給水ローラ２２３ａ，２２３ｂから加湿ローラ２２５ａ，２２５ｂへの水分供給状態を変更して、加湿ローラ２２５ａ，２２５ｂによる用紙に対する接触状態を変更することで、第１の加湿量と第２の加湿量とを切り替える。
【００４８】
（３）以上の（２）において、加湿ローラ２２５ａ，２２５ｂによる用紙の挟持圧、又は、加湿ローラ２２５ａ，２２５ｂの挟持間隔を調整することで、接触状態を変更し、第１の加湿量と第２の加湿量とを切り替える。
（４）以上の（３）において、加湿ローラ２２５ａ，２２５ｂによる用紙の挟持圧、又は、加湿ローラ２２５ａ，２２５ｂの挟持間隔を調整して、加湿ローラ２２５ａ及び２２５ｂの用紙に対する接触面積を変更することで、第１の加湿量と第２の加湿量とを切り替える。
【００４９】
（５）以上の（２）−（４）において、加湿ローラの径を参照して、第１の加湿量から第２の加湿量に切り替えるタイミングを制御する。
（６）以上の（２）−（５）において、加湿ローラの径を参照して、第１の加湿量を決定する。
【００５０】
（７）以上の（１）−（６）において、第２の加湿量を参照して、第１の加湿量から第２の加湿量に切り替えるタイミングを制御する。
（８）以上の（１）−（７）において、用紙の種類を参照して、第１の加湿量から第２の加湿量に切り替えるタイミングを制御する。
【００５１】
（９）以上の（１）−（８）において、用紙に画像が形成されている場合の画像形成条件を参照して、第１の加湿量から第２の加湿量に切り替えるタイミングを制御する。
すなわち、用紙が加湿ローラ２２５ａ，２２５ｂに対して巻き付き易い状態であればあるほど、加湿ローラ２２５ａ，２２５ｂによる挟持圧力を下げて第１の加湿量を減らす、又は、第２の加湿量より少ない第１の加湿量で加湿する第１領域を広げる、といった方向に、制御部２０１は加湿量変更内容を算出する。
【００５２】
例えば、加湿ローラ２２５ａ，２２５ｂの径ｒに比例して、用紙が巻き付き易くなる。このため、制御部２０１は、ローラ径ｒに比例して、用紙先端側の第１領域を広げる（第１の加湿量から第２の加湿量に切り替えるタイミングを遅らせる）。この場合、ローラ径ｒと用紙先端側の第１領域の搬送方向長で巻き付きが発生しなくなる関係を予め実験で算出しておいて、ローラ径ｒに応じた第１領域の搬送方向長を求めれば良い。又は、制御部２０１は、ローラ径ｒに反比例するように、ローラ径ｒが大きければ挟持圧力Ｐを下げるように、加湿ローラ２２５ａ，２２５ｂ間の挟持圧力Ｐを決定して第１の加湿量を調整する。この場合、ローラ径ｒと挟持圧力Ｐで巻き付きが発生しなくなる関係を予め実験で算出しておいて、ローラ径ｒに応じた挟持圧力Ｐを求めれば良い。
【００５３】
また、用紙厚ｄに反比例して、用紙が巻き付き易くなる。このため、制御部２０１は、用紙厚ｄに反比例して第１領域を広げる（第１の加湿量から第２の加湿量に切り替えるタイミングを遅らせる）。この場合、用紙厚ｄと用紙先端側の第１領域の搬送方向長で巻き付きが発生しなくなる関係を予め実験で算出しておいて、用紙厚ｄに応じた第１領域の搬送方向長を求めれば良い。又は、制御部２０１は、用紙厚ｄに比例するように、加湿ローラ２２５ａ，２２５ｂ間の挟持圧力Ｐを決定して第１の加湿量を決定する。この場合、用紙厚ｄと挟持圧力Ｐで巻き付きが発生しなくなる関係を予め実験で算出しておいて、用紙厚ｄに応じた挟持圧力Ｐを求めれば良い。
【００５４】
また、用紙の表面処理による平滑性に比例して、用紙表面の水分が影響して、用紙が巻き付き易くなる。このため、制御部２０１は、用紙の平滑性に比例して第１領域を広げる（第１の加湿量から第２の加湿量に切り替えるタイミングを遅らせる）。この場合、用紙表面平滑性と用紙先端側の第１領域の搬送方向長で巻き付きが発生しなくなる関係を予め実験で算出しておいて、用紙表面平滑性に応じた第１領域の搬送方向長を求めれば良い。又は、制御部２０１は、用紙の平滑性に反比例するように、平滑性が高ければ挟持圧力Ｐを下げるように、加湿ローラ２２５ａ，２２５ｂ間の挟持圧力Ｐを決定して第１の加湿量を決定する。この場合、用紙表面平滑性と挟持圧力Ｐで巻き付きが発生しなくなる関係を予め実験で算出しておいて、用紙表面平滑性に応じた挟持圧力Ｐを求めれば良い。
【００５５】
同様に、帯電電圧や定着温度に比例して、用紙が巻き付き易くなる。このため、制御部２０１は、帯電電圧や定着温度に比例して、用紙先端側の第１領域を広げる（第１の加湿量から第２の加湿量に切り替えるタイミングを遅らせる）。この場合、帯電電圧や定着温度と用紙先端側の第１領域の搬送方向長で巻き付きが発生しなくなる関係を予め実験で算出しておいて、帯電電圧や定着温度に応じた第１領域の搬送方向長を求めれば良い。又は、制御部２０１は、帯電電圧や定着温度に反比例するように、加湿ローラ２２５ａ，２２５ｂ間の挟持圧力Ｐを決定して第１の加湿量を調整する。この場合、帯電電圧や定着温度と挟持圧力Ｐで巻き付きが発生しなくなる関係を予め実験で算出しておいて、帯電電圧や定着温度に応じた挟持圧力Ｐを求めれば良い。
【００５６】
同様に、画像濃度に反比例して、用紙が巻き付き易くなる。このため、制御部２０１は、画像濃度に反比例して、用紙先端側の第１領域を広げる（第１の加湿量から第２の加湿量に切り替えるタイミングを遅らせる）。この場合、画像濃度と用紙先端側の第１領域の搬送方向長で巻き付きが発生しなくなる関係を予め実験で算出しておいて、画像濃度に応じた第１領域の搬送方向長を求めれば良い。又は、制御部２０１は、画像濃度に比例するように、加湿ローラ２２５ａ，２２５ｂ間の挟持圧力Ｐを決定して第１の加湿量を調整する。この場合、画像濃度で巻き付きが発生しなくなる関係を予め実験で算出しておいて、画像濃度に応じた挟持圧力Ｐを求めれば良い。なお、画像濃度に着目する場合には、用紙の巻き付きに関するものであるため、用紙の搬送方向先端側における画像濃度に着目すれば良い。
【００５７】
また、第２の加湿量自体も、用紙が加湿ローラ２２５ａ，２２５ｂに巻き付きやすくなる原因として挙げられる。よって、第２の加湿量に比例して、用紙先端側の第１領域を広げる（第１の加湿量から第２の加湿量に切り替えるタイミングを遅らせる）ように決定して制御する。この場合、第２の加湿量と用紙先端側の第１領域の搬送方向長で巻き付きが発生しなくなる関係を予め実験で算出しておいて、第２の加湿量に応じた第１領域の搬送方向長を求めれば良い。
【００５８】
そして、制御部２０１は、用紙を加湿部２２０に搬送し（図４中のステップＳ１０７）、図示されないセンサを有する検知部によって、用紙の先端が一対の加湿ローラ２２５ａ，２２５ｂの挟持位置に到達するか否かを検知している（図４中のステップＳ１０８でＹＥＳ、図８状態（ａ））。
【００５９】
なお、この場合に、センサは、上述した挟持位置に設けられている必要はない。他の位置の検知結果と用紙搬送速度と搬送距離とから、挟持位置に用紙が到達することを把握できれば良い。従って、用紙が一定速度で搬送されている場合には、用紙加湿装置２００の入り口付近のセンサを用いることも可能である。
【００６０】
用紙の先端が一対の加湿ローラ２２５ａ，２２５ｂの挟持位置に到達した時点で（図４中のステップＳ１０８でＹＥＳ）、加湿ローラ２２５ａ，２２５ｂにより用紙を第１の挟持圧力Ｐ１で挟持しつつ加湿しながら搬送するように制御する（図４中のステップＳ１０９、図６中のＰ１、図８中の（ｂ））。なお、加湿ローラ２２５ａ，２２５ｂによる挟持圧力Ｐ１の制御は、第１加湿手段２２１ａと第２加湿手段２２１ｂに設けられた、カム、ボールねじ送り機構、アクチュエータ、リニアモータなど各種の手段を用いた調整機構により実現される。
【００６１】
なお、以上の加湿ローラ２２５ａ，２２５ｂの挟持圧力Ｐ１により、加湿ローラ２２５ａと２２５ｂの間隔Ｄabは、Ｄab0からＤab1になる（図７、図８（ａ）〜図８（ｂ）参照）。ここで、加湿ローラ２２５ａの半径をＲ1、加湿ローラ２２５ｂの半径をＲ2、とした場合、Ｄab0＝Ｒ1＋Ｒ2、又は、Ｄab0＝Ｒ1＋Ｒ2＋ｄ、である。そして、Ｄab1＜Ｒ1＋Ｒ2＋ｄ、と表現できる。
【００６２】
ここで、図８（ｂ）の状態としてのＤab1＜Ｒ1＋Ｒ2＋ｄとは、加湿ローラ２２５ａと２２５ｂとが用紙を挟んで変形した状態であることを意味する。なお、この場合において、加湿ローラ２２５ａと加湿ローラ２２５ｂと用紙との搬送方向接触長はａ１である。
なお、図８（ｂ）の紙面垂直方向の用紙幅ｂと搬送方向接触長ａ１との積であるａ１・ｂが、第１領域Ｖ１における用紙に対する加湿ローラ２２５ａ，２２５ｂによる接触状態である。また、この状態を斜視図として、図９（ａ）に示す。すなわち、第１領域Ｖ１では、後述する第２領域Ｖ２よりも、用紙と加湿ローラ２２５ａ，２２５ｂとの接触面積が小さくなり、第２の加湿量よりも少ない第１の加湿量による加湿が実現される。
【００６３】
また、制御部２０１は、以上のように用紙先端が加湿ローラ２２５ａ，２２５ｂ間に達したタイミングからカウントを続け、用紙の搬送速度を参照して、加湿ローラ２２５ａ，２２５ｂに挟持される用紙の位置が、第１領域Ｖ１を完了して第２領域Ｖ２に達したか否かを判断する（図４中のステップＳ１１０）。
【００６４】
用紙の第１領域Ｖ１の末端（用紙の第２領域Ｖ２の先端）が一対の加湿ローラ２２５ａ，２２５ｂの挟持位置に到達した時点で（図４中のステップＳ１１０でＹＥＳ）、加湿ローラ２２５ａ，２２５ｂにより用紙を第２の挟持圧力Ｐ２で挟持しつつ加湿しながら搬送するように制御する（図４中のステップＳ１１１、図６中のＰ２、図８中の（ｃ））。
【００６５】
なお、この第２の挟持圧力Ｐ２は、上述した第１の挟持圧力Ｐ１よりも大きい挟持圧力であり、第１の挟持圧力Ｐ１による第１の加湿量よりも多い第２の加湿量を実現するための挟持圧力である。なお、第２の加湿量とは、既に説明したように、用紙のカール防止、波打ち防止、平面性確保を実現するのに必要な既知の加湿量である。
【００６６】
また、加湿ローラ２２５ａ，２２５ｂによる第１の挟持圧力Ｐ１と第２の挟持圧力Ｐ２の制御は、第１加湿手段２２１ａと第２加湿手段２２１ｂに設けられた、カム、ボールねじ送り機構、アクチュエータ、リニアモータなど各種の手段を用いた調整機構により実現される。
【００６７】
なお、以上の加湿ローラ２２５ａ，２２５ｂの挟持圧力Ｐ２により、加湿ローラ２２５ａと２２５ｂの間隔Ｄabは、Ｄab1からＤab2になる（図７、図８（ｂ）〜図８（ｃ）、図９（ｂ）参照）。ここで、加湿ローラ２２５ａの半径をＲ1、加湿ローラ２２５ｂの半径をＲ2、とした場合、Ｄab2＜Ｄab1と表現できる。
【００６８】
また、ここで、図８（ｃ）の状態としてのＤab2＜Ｄab1とは、加湿ローラ２２５ａと２２５ｂとが用紙を挟んで、Ｄab1より更に変形した状態であることを意味する。なお、この場合において、加湿ローラ２２５ａと加湿ローラ２２５ｂと用紙との搬送方向接触長は、ａ１よりも大きいａ２である。また、この状態を斜視図として、図９（ｂ）に示す。
【００６９】
なお、図８の紙面垂直方向の用紙幅ｂと搬送方向接触長ａ２との積であるａ２・ｂが、第２領域Ｖ２における用紙に対する加湿ローラ２２５ａ，２２５ｂによる接触状態である。すなわち、第２領域Ｖ２では、第１領域Ｖ１よりも、用紙と加湿ローラ２２５ａ，２２５ｂとの接触面積が大きくなり、より多くの加湿が可能になる。
【００７０】
このような第２領域Ｖ２における第２の加湿量による加湿を実行し（図４中のステップＳ１１１）、用紙の後端が一対の加湿ローラ２２５ａ，２２５ｂの挟持位置に到達した時点で（図４中のステップＳ１１２でＹＥＳ）、加湿ローラ２２５ａ，２２５ｂによる挟持圧力Ｐ２を解除する（図６と図７の用紙後端、図８中の（ｄ））。
【００７１】
そして、制御部２０１は、画像形成の指示がなされた残りの全ての用紙についても、以上の処理と同様な加湿処理を実行する（図４中のステップＳ１０４〜Ｓ１１２）ように各部を制御する。そして、全ての用紙についての加湿処理が完了した時点で（図４中のステップＳ１１３でＹＥＳ）、制御部２０１は、加湿処理を終了する（図４中のエンド）。
【００７２】
このように、用紙の位置に応じて、加湿ローラ２２５ａ，２２５ｂの挟持圧又は挟持間隔を調整し、用紙と加湿ローラ２２５ａ，２２５ｂとの接触面積を変更することで、用紙の搬送方向の先端側の第１領域を第１の加湿量で加湿すると共に、用紙の第１領域以外の第２領域を第１の加湿量よりも多い第２の加湿量で加湿している。これにより、加湿された用紙表面の水分の影響で用紙の先端領域が加湿ローラ２２５ａ，２２５ｂに巻き付きやすい現象が軽減されるため、用紙搬送に悪影響を与えないようにしつつ用紙の加湿が可能になる。
【００７３】
〔第２実施形態〕
図１０と図１１とは、第２実施形態の原理を示す説明図である。ここで、図１０は第１実施形態の図６の加湿ローラの挟持圧力に対応し、図１１は第１実施形態の図７の加湿ローラの間隔に対応している。
【００７４】
上述した第１実施形態では、用紙の先端側の第１領域Ｖ１では、加湿ローラ２２５ａ，２２５ｂにより用紙を、一定の第１の挟持圧力Ｐ１で挟持しつつ加湿しながら搬送している。ここで、第１の挟持圧力Ｐ１は、第２の挟持圧力Ｐ２より小さいため、第１の加湿量は第２の加湿量よりも少なくなっている。また、上述した実施形態では、加湿ローラ２２５ａ，２２５ｂの挟持圧力Ｐ１により、加湿ローラ２２５ａと２２５ｂの間隔Ｄabは、第１領域Ｖ１において、Ｄab1で一定になっている（図７の第１領域Ｖ１参照）。
【００７５】
ここで、用紙の巻き付きは、第１領域Ｖ１の中では、用紙の先端において最も発生しやすく、第２領域Ｖ２に近づくにつれて発生しやすさが低下する。すなわち、用紙の先端が巻き付きを発生しない場合には、その後の領域で巻き付く可能性は小さい。
このため、用紙先端では、加湿ローラ２２５ａ，２２５ｂの挟持圧力Ｐ１、間隔Ｄab1として、用紙が加湿ローラ２２５ａ，２２５ｂに巻き付くことを確実に防止する。
【００７６】
そして、用紙の搬送に伴って、加湿ローラ２２５ａ，２２５ｂによる用紙の挟持位置が第２領域Ｖ２に近づくにつれて、挟持圧力Ｐ１一定にするのではなく、挟持圧力をＰ１からＰ２に滑らかに変化させる。同様に、加湿ローラ２２５ａ，２２５ｂの挟持間隔を、Ｄab1一定にするのではなく、Ｄab1からＤab2に滑らかに変化させる（図１０、図１１参照）。
【００７７】
この場合、第２の加湿量より少ない第１の加湿量は、第１領域Ｖ１において、第２の加湿量未満の範囲で徐々に第２の加湿量に近づく特性を有することになる。
この第２実施形態のようにすることでも、用紙の搬送方向の先端側の第１領域を第１の加湿量で加湿すると共に、用紙の第１領域以外の第２領域を第１の加湿量よりも多い第２の加湿量で加湿している。これにより、加湿された用紙表面の水分の影響で用紙の先端領域が加湿ローラ２２５ａ，２２５ｂに巻き付きやすい現象が軽減されるため、用紙搬送に悪影響を与えないようにしつつ用紙の加湿が可能になる。
【００７８】
また、この第２実施形態のようにすることで、用紙の途中で挟持圧力の急激な変化が存在しないため、用紙に対するダメージを軽減することも可能になる。
〔第３実施形態〕
以上の第１実施形態と第２実施形態とにおいて、第１の加湿量＜第２の加湿量、として説明してきた。
【００７９】
この変形例となる第３の実施形態としては、第１領域Ｖ１において加湿ローラ２２５ａ，２２５ｂを用紙に接触させず（図１２（ａ）参照）、第２領域Ｖ２において加湿ローラ２２５ａ，２２５ｂで用紙を挟持して第２の加湿量を実現する（図１２（ｂ）参照）ように制御することも可能である。この場合は、第１領域Ｖ１では用紙に加湿されないため、用紙が加湿ローラ２２５ａ，２２５ｂに巻き付くことを確実に防止できる。なお、この第３実施形態では第１の加湿量がゼロであるため、以上の第１実施形態や第２実施形態の場合よりも第１領域を狭めることが可能である。
【００８０】
〔その他の実施形態〕
以上の各実施形態において、用紙加湿装置２００は画像形成装置の下流に接続されているが、このような構成に限定されず、画像形成装置１００内、後処理装置３００内に配置されていても良い。また、図示されない他の中間反転装置などに内蔵されていても良い。
【００８１】
また、以上の各実施形態では、加湿ローラ２２５ａ，２２５ｂの挟持圧力や間隔により加湿量を制御していたが、これに限定されず、加湿ローラ２２５ａ，２２５ｂへの給水状況を制御することも可能である。
例えば、給水ローラ２２３ａ，２２３ｂと加湿ローラ２２５ａ，２２５ｂとの接触圧力や間隔について、予め設定された第２の加湿量における設定値よりも、接触圧力を下げたり、間隔を広げたりすることで、第２の加湿量より少ない第１の加湿量を実現することも可能である。
【００８２】
また、給水ローラ２２３ａ，２２３ｂと規制ローラ２２４ａ，２２４ｂとの接触圧力や間隔について、予め設定された第２の加湿量における設定値よりも、接触圧力を上げたり、間隔を狭めたりすることで、第２の加湿量より少ない第１の加湿量を実現することも可能である。
【００８３】
なお、この給水の制御による加湿量の制御が加湿ローラに到達するまでに一定の時間が必要になるため、用紙が加湿ローラ２２５ａ，２２５ｂに到達する時間を予め予想して、給水による加湿量の制御を実行することが必要になる。
また、以上の実施形態では、加湿ローラ２２５ａ，２２５ｂにより用紙に対して加湿を実現していたが、水蒸気噴霧手段を使用して、第１の加湿量と第２の加湿量を制御することも可能である。この場合、水蒸気噴霧による加湿の直後の搬送ローラへの用紙の巻き付きを軽減することが可能になる。
【００８４】
〔実施形態により得られる効果〕
以上の実施形態が反映された用紙加湿装置と加湿制御方法では、以下のような効果が得られる。
（１）加熱定着装置から排出された用紙のカールや波打ち等を低減して平面性を確保するために用紙を加湿する際に、検知される搬送中の用紙の位置に応じて、用紙の搬送方向の先端側の第１領域を第１の加湿量で加湿すると共に、用紙の第１領域以外の第２領域を第１の加湿量よりも多い第２の加湿量で加湿することで、加湿された用紙表面の水分の影響で用紙の先端領域がローラに巻き付きやすい現象が軽減されるため、用紙搬送に悪影響を与えないようにしつつ用紙の加湿が可能になる。
【００８５】
（２）以上の（１）において、一対の加湿ローラにより用紙を加湿しつつ挟持搬送する際に、加湿ローラの用紙に対する接触状態を変更して第１の加湿量と第２の加湿量とを切り替えるため、加湿された用紙表面の水分の影響で用紙の先端領域が加湿ローラに巻き付きやすい現象が軽減され、用紙搬送に悪影響を与えずに用紙の加湿が可能になる。
【００８６】
また、以上の（１）において、一対の加湿ローラにより用紙を加湿しつつ挟持搬送する際に、給水部から加湿ローラへの水分供給状態を変更して第１の加湿量と第２の加湿量とを切り替えるため、加湿された用紙表面の水分の影響で用紙の先端領域が加湿ローラに巻き付きやすい現象が軽減され、用紙搬送に悪影響を与えずに用紙の加湿が可能になる。
【００８７】
（３）以上の（２）において、一対の加湿ローラにより用紙を加湿しつつ挟持搬送する際に、一対の加湿ローラによる用紙の挟持圧又は挟持間隔を調整して第１の加湿量と第２の加湿量とを切り替えるため、加湿された用紙表面の水分の影響で用紙の先端領域が加湿ローラに巻き付きやすい現象が軽減され、用紙搬送に悪影響を与えずに用紙の加湿が可能になる。
【００８８】
（４）以上の（３）において、一対の加湿ローラにより用紙を加湿しつつ挟持搬送する際に、一対の加湿ローラによる用紙の挟持圧又は挟持間隔の調整により用紙と加湿ローラとの接触面積を変更して第１の加湿量と第２の加湿量とを切り替えるため、加湿された用紙表面の水分の影響で用紙の先端領域が加湿ローラに巻き付きやすい現象が軽減され、用紙搬送に悪影響を与えずに用紙の加湿が可能になる。
【００８９】
（５）以上の（２）−（４）において、加湿ローラの径を参照して第１の加湿量から第２の加湿量に切り替えるタイミングを制御しているため、加湿された用紙表面の水分の影響で用紙の先端領域が加湿ローラに巻き付きやすい現象が発生しやすい状況を適切に軽減することができ、用紙搬送に悪影響を与えずに用紙の加湿が可能になる。
【００９０】
（６）以上の（２）−（５）において、加湿ローラの径を参照して第１の加湿量を決定するため、加湿された用紙表面の水分の影響で用紙の先端領域が加湿ローラに巻き付きやすい現象が発生しやすい状況を適切に軽減することができ、用紙搬送に悪影響を与えずに用紙の加湿が可能になる。
【００９１】
（７）以上の（１）−（６）において、第２の加湿量を参照して第１の加湿量から第２の加湿量に切り替えるタイミングを決定するため、加湿された用紙表面の水分の影響で用紙の先端領域が加湿ローラに巻き付きやすい現象が発生しやすい状況を適切に軽減することができ、用紙搬送に悪影響を与えずに用紙の加湿が可能になる。
【００９２】
（８）以上の（１）−（７）において、用紙の種類を参照して、第１の加湿量から第２の加湿量に切り替えるタイミングを制御するため、加湿された用紙表面の水分の影響で用紙の先端領域が加湿ローラに巻き付きやすい現象が発生しやすい状況を適切に軽減することができ、用紙搬送に悪影響を与えずに用紙の加湿が可能になる。
【００９３】
（９）以上の（１）−（８）において、用紙に画像が形成されている場合の画像形成条件を参照して、第１の加湿量から第２の加湿量に切り替えるタイミングを制御するため、加湿された用紙表面の水分の影響で用紙の先端領域が加湿ローラに巻き付きやすい現象が発生しやすい状況を適切に軽減することができ、用紙搬送に悪影響を与えずに用紙の加湿が可能になる。
【符号の説明】
【００９４】
１００  画像形成装置
２００  用紙加湿装置
３００  後処理装置
【図１】
2016210541.tif 000003
【図２】
2016210541.tif 000004
【図３】
2016210541.tif 000005
【図４】
2016210541.tif 000006
【図５】
2016210541.tif 000007
【図６】
2016210541.tif 000008
【図７】
2016210541.tif 000009
【図８】
2016210541.tif 000010
【図９】
2016210541.tif 000011
【図１０】
2016210541.tif 000012
【図１１】
2016210541.tif 000013
【図１２】
2016210541.tif 000014